【手続補正書】
【提出日】平成18年3月14日(2006.3.14)
【手続補正１】
【補正対象書類名】明細書
【補正対象項目名】特許請求の範囲
【補正方法】変更
【補正の内容】
【特許請求の範囲】
【請求項１】  被制御機器に制御信号を送信して上記被制御機器を遠隔操作する遠隔操作制御装置であって、
現利用者を検知する検知手段と、
上記検知手段により検知して得た信号から上記現利用者に関する個体判別情報を取得して上記現利用者を判別する個体判別手段と、
上記個体判別手段により過去に取得した個体判別情報と、この個体判別情報に対応する利用者を特定する個体情報とを保持する記憶手段と、
上記個体判別手段により取得した上記現利用者に関する個体判別情報と、上記記憶手段に保持している個体判別情報とを比較し、上記現利用者に関する個体判別情報と一致する個体判別情報を上記記憶手段から探索する探索手段と、
上記探索手段により探索した上記記憶手段に保持している個体判別情報に対応する個体情報を、上記制御信号に付加して上記被制御機器へ送信する送信手段とを備えること
を特徴とする遠隔操作制御装置。
【請求項２】  上記個体判別情報を、上記制御信号に付加して上記被制御機器へ送信する送信手段を備えること
を特徴とする請求項１記載の遠隔操作制御装置。
【請求項３】  上記検知手段は、上記現利用者の指紋を検知すること
を特徴とする請求項１記載の遠隔操作制御装置。
【請求項４】  上記検知手段は、上記現利用者の顔を撮像すること
を特徴とする請求項１記載の遠隔操作制御装置。
【請求項５】  上記検知手段は、上記現利用者が発する音声を検知すること
を特徴とする請求項１記載の遠隔操作制御装置。
【請求項６】  画像情報及び／又は文字情報を生成して表示部に表示する表示手段を備え、
上記表示手段は、上記個体判別情報に基づいて上記表示部の表示形態を変更すること
を特徴とする請求項１記載の遠隔操作制御装置。
【請求項７】  上記検知手段は、上記現利用者に固有の情報を無線信号として送信する認証機器からの無線信号を受信すること
を特徴とする請求項１記載の遠隔操作制御装置。
【請求項８】  上記制御信号は、上記被制御機器にワイヤレス通信により送信されること
を特徴とする請求項１記載の遠隔操作制御装置。
【請求項９】  制御装置から送信された制御信号を受信し、この制御信号に基づいた動作を行うことによって、上記制御装置による遠隔操作がなされる被制御機器であって、
上記制御装置から送信された制御信号を受信する受信手段と、
利用者に関する情報を保持する記憶手段とを備え、
上記記憶手段は、過去に操作した利用者を特定する個体情報と、各利用者が行った操作内容の履歴を保持し、
上記受信手段は、上記制御装置が取得した現利用者を特定する個体情報が付加された制御信号を受信すること
を特徴とする被制御機器。
【請求項１０】  上記受信手段が受信した上記制御信号に付加されている上記現利用者を特定する個体情報を、上記記憶手段に保持しているか否かを判別する判別手段を備えること
を特徴とする請求項９記載の被制御機器。
【請求項１１】  上記記憶手段は、過去に操作した利用者に関する個体判別情報と、各利用者を特定する個体情報とを対応付けて保持するとともに、各利用者が行った操作内容の履歴を保持し、
上記受信手段は、上記制御装置が取得した現利用者に関する個体判別情報が付加された制御信号を受信すること
を特徴とする請求項９記載の被制御機器。
【請求項１２】  上記受信手段が受信した上記制御信号に付加されている上記現利用者に関する個体判別情報と、上記記憶手段に保持している個体判別情報とを比較し、上記現利用者に関する個体判別情報と一致する個体判別情報に対応する個体情報を探索する探索手段を備えること
を特徴とする請求項１１記載の被制御機器。
【請求項１３】  上記受信手段は、上記制御装置からワイヤレス通信により上記制御信号を受信すること
を特徴とする請求項９記載の被制御機器。
【請求項１４】  制御装置から被制御機器に制御信号を送信して上記被制御機器を遠隔操作する遠隔操作制御方法であって、
上記制御装置は、
現利用者を検知して得た信号から上記現利用者に関する個体判別情報を取得して上記現利用者を判別するものであり、
過去に取得した個体判別情報と、この個体判別情報に対応する利用者を特定する個体情報とを保持しており、
取得した上記現利用者に関する個体判別情報と、保持している個体判別情報とを比較し、保持している個体判別情報の中から上記現利用者に関する個体判別情報と一致する個体判別情報を探索し、
探索した個体判別情報に対応する個体情報を、上記制御信号に付加して上記被制御機器へ送信し、
上記被制御機器は、
過去に操作した利用者を特定する個体情報と、各利用者が行った操作内容の履歴を保持しており、
上記制御装置が取得した上記現利用者を特定する個体情報が付加された制御信号を受信し、この制御信号に基づいた動作を行うこと
を特徴とする遠隔操作制御方法。
【請求項１５】  上記被制御機器は、上記制御装置から受信した上記制御信号に付加されている上記現利用者を特定する個体情報を保持しているか否かを判別すること
を特徴とする請求項１４記載の遠隔操作制御方法。
【請求項１６】  上記制御装置は、
上記個体判別情報を、上記制御信号に付加して上記被制御機器へ送信し、
上記被制御機器は、
過去に操作した利用者に関する個体判別情報と、各利用者を特定する個体情報とを対応付けて保持するとともに、各利用者が行った操作内容の履歴を保持しており、
上記制御装置が取得した上記現利用者に関する個体判別情報が付加された制御信号を受信し、この制御信号に基づいた動作を行うこと
を特徴とする請求項１４記載の遠隔操作制御方法。
【請求項１７】  上記被制御機器は、上記制御装置から受信した上記制御信号に付加されている上記現利用者に関する個体判別情報と、保持している個体判別情報とを比較し、上記現利用者に関する個体判別情報と一致する個体判別情報に対応する個体情報を探索すること
を特徴とする請求項１６記載の遠隔操作制御方法。
【請求項１８】  上記制御装置は、上記現利用者の指紋を検知して得た信号から上記個体判別情報を取得すること
を特徴とする請求項１４記載の遠隔操作制御方法。
【請求項１９】  上記制御装置は、上記現利用者の顔を撮像して得た信号から上記個体判別情報を取得すること
を特徴とする請求項１４記載の遠隔操作制御方法。
【請求項２０】  上記制御装置は、上記現利用者が発する音声を検知して得た信号から上記個体判別情報を取得すること
を特徴とする請求項１４記載の遠隔操作制御方法。
【請求項２１】  上記制御装置は、上記個体判別情報に基づいて、生成された画像情報及び／又は文字情報を表示する表示部の表示形態を変更すること
を特徴とする請求項１４記載の遠隔操作制御方法。
【請求項２２】  上記制御装置は、上記現利用者に固有の情報を無線信号として送信する認証機器からの無線信号を受信して、上記個体判別情報を取得すること
を特徴とする請求項１４記載の遠隔操作制御方法。
【請求項２３】  上記制御装置は、上記被制御機器にワイヤレス通信により上記制御信号を送信すること
を特徴とする請求項１４記載の遠隔操作制御方法。
【手続補正２】
【補正対象書類名】明細書
【補正対象項目名】０００８
【補正方法】変更
【補正の内容】
【０００８】
【課題を解決するための手段】
上述した目的を達成する本発明にかかる遠隔操作制御装置は、被制御機器に制御信号を送信して上記被制御機器を遠隔操作する遠隔操作制御装置であって、現利用者を検知する検知手段と、上記検知手段により検知して得た信号から上記現利用者に関する個体判別情報を取得して上記現利用者を判別する個体判別手段と、上記個体判別手段により過去に取得した個体判別情報と、この個体判別情報に対応する利用者を特定する個体情報とを保持する記憶手段と、上記個体判別手段により取得した上記現利用者に関する個体判別情報と、上記記憶手段に保持している個体判別情報とを比較し、上記現利用者に関する個体判別情報と一致する個体判別情報を上記記憶手段から探索する探索手段と、上記探索手段により探索した上記記憶手段に保持している個体判別情報に対応する個体情報を、上記制御信号に付加して上記被制御機器へ送信する送信手段とを備えることを特徴としている。
【手続補正３】
【補正対象書類名】明細書
【補正対象項目名】００１０
【補正方法】変更
【補正の内容】
【００１０】
また、上述した目的を達成する本発明にかかる被制御機器は、制御装置から送信された制御信号を受信し、この制御信号に基づいた動作を行うことによって、上記制御装置による遠隔操作がなされる被制御機器であって、上記制御装置から送信された制御信号を受信する受信手段と、利用者に関する情報を保持する記憶手段とを備え、上記記憶手段は、過去に操作した利用者を特定する個体情報と、各利用者が行った操作内容の履歴を保持し、上記受信手段は、上記制御装置が取得した現利用者を特定する個体情報が付加された制御信号を受信することを特徴としている。
【手続補正４】
【補正対象書類名】明細書
【補正対象項目名】００１２
【補正方法】変更
【補正の内容】
【００１２】
さらに、上述した目的を達成する本発明にかかる遠隔操作制御方法は、制御装置から被制御機器に制御信号を送信して上記被制御機器を遠隔操作する遠隔操作制御方法であって、上記制御装置は、現利用者を検知して得た信号から上記現利用者に関する個体判別情報を取得して上記現利用者を判別するものであり、過去に取得した個体判別情報と、この個体判別情報に対応する利用者を特定する個体情報とを保持しており、取得した上記現利用者に関する個体判別情報と、保持している個体判別情報とを比較し、保持している個体判別情報の中から上記現利用者に関する個体判別情報と一致する個体判別情報を探索し、探索した個体判別情報に対応する個体情報を、上記制御信号に付加して上記被制御機器へ送信し、上記被制御機器は、過去に操作した利用者を特定する個体情報と、各利用者が行った操作内容の履歴を保持しており、上記制御装置が取得した上記現利用者を特定する個体情報が付加された制御信号を受信し、この制御信号に基づいた動作を行うことを特徴としている。